(57)【特許請求の範囲】
【請求項１】
訪問先での歯科診療に用いる器材を収容する運搬可能な、上壁、側壁、下辺部を軸として開閉可能な前扉、背壁、および底壁を有するケースと、
収容時には前記開閉可能な前扉の内側に設けられた収容部に前記ケースと分離可能に収容され、使用時には被設置箇所に設置され、駆動源に繋がるインスツルメントを保持するインスツルメント保持装置と、を備え、
前記インスツルメント保持装置は、前記インスツルメントを係止する係止部と、該インスツルメント保持装置が設置される前記被設置箇所に着脱自在に設置する設置部と、を有し、
前記被設置箇所には、前記ケースの側壁、前記ケースを運搬するカート、および訪問先での歯科診療を受ける患者を載置する載置装置の少なくとも１つが含まれることを特徴とする可搬式歯科診療装置。
【請求項２】
前記設置部は、磁石を有し、
前記開閉可能な前扉の内側に設けられた収容部には、磁性材料から形成される金属板が敷設されていることを特徴とする請求項１に記載の可搬式歯科診療装置。
【請求項３】
前記可搬式歯科診療装置は、複数の前記インスツルメント保持装置を備えており、前記複数の前記インスツルメント保持装置の各々は、他のインスツルメント保持装置と分離可能に接続する接続部を有することを特徴とする請求項１または請求項２に記載の可搬式歯科診療装置。
【請求項４】
前記接続部は、前記インスツルメント保持装置の前記係止部が設けられる面を正面とした場合の側面に設けられていることを特徴とする請求項３に記載の可搬式歯科診療装置。
【発明の詳細な説明】
【技術分野】
【０００１】
本発明は、可搬式歯科診療装置に関する。
【背景技術】
【０００２】
近時、歯科医療の分野において、被災地や僻地等における停電や断水等による不自由な環境にある環境弱者、および自宅や病院等の訪問先での歯科診療を必要とする高齢者や疾病等をかかえた身体的弱者に対して必要な歯科医療サービスを円滑かつ機動的に提供することが求められる。
【０００３】
このような状況を鑑み、従来、訪問先に持ち運んで患者に歯科診療を施すための訪問診療用歯科治療装置（以下、「可搬式歯科診療装置」という）が提案されている（例えば、特許文献１参照）。
【０００４】
特許文献１に記載の可搬式歯科診療装置は、ドクター装置部２と、蓋体１２ａに一体的に備えられたアシスタント装置部３と、蓋体１２ｂとを備えている（段落［００２０］、図１参照）。そして、ドクター装置部２における装置枠体２３の正面側壁２３ａに、トリプルシリンジ５、マイクロモーターハンドピース又はエアタービンハンドピース６、スケーラ７等のインスツルメント８が、ハンガー９（インスツルメント保持装置）を介して引き出し自在に備えられている（段落［００１２］、［００２１］、図２参照）。
【先行技術文献】
【特許文献】
【０００５】
【特許文献１】特開２００２−１６５８１７号公報
【発明の概要】
【発明が解決しようとする課題】
【０００６】
しかしながら、特許文献１に記載の技術においては、インスツルメントを保持するインスツルメント保持装置は、可搬式歯科診療装置と分離不能に設けられている。このため、特許文献１に記載の可搬式歯科診療装置は、例えば、訪問先での歯科診療を受ける患者に対してより近い位置にインスツルメント保持装置を設置してインスツルメントを使用したい場合や、複数のインスツルメント保持装置を患者を挟んで両側にそれぞれ分離して設置して各インスツルメントを患者の両側にて使用したい場合等に柔軟に対応できなかった。
【０００７】
このように、特許文献１に記載の技術は、インスツルメント保持装置の位置が一箇所に固定されてしまい、訪問先での診療に応じた所望の位置にインスツルメント保持装置を設置することができないという問題があった。
【０００８】
本発明は、前記した事情に鑑みてなされたものであり、訪問先での歯科診療に応じた所望の位置にインスツルメント保持装置を設置することが可能な可搬式歯科診療装置を提供することを課題とする。
【課題を解決するための手段】
【０００９】
前記課題を解決するため、請求項１に係る発明は、訪問先での歯科診療に用いる器材を収容する運搬可能な、上壁、側壁、下辺部を軸として開閉可能な前扉、背壁、および底壁を有するケースと、収容時には前記開閉可能な前扉の内側に設けられた収容部に前記ケースと分離可能に収容され、使用時には被設置箇所に設置され、駆動源に繋がるインスツルメントを保持するインスツルメント保持装置と、を備え、前記インスツルメント保持装置は、前記インスツルメントを係止する係止部と、該インスツルメント保持装置が設置される前記被設置箇所に着脱自在に設置する設置部と、を有し、前記被設置箇所には、前記ケースの側壁、前記ケースを運搬するカート、および訪問先での歯科診療を受ける患者を載置する載置装置の少なくとも１つが含まれることを特徴とする可搬式歯科診療装置である。
【００１０】
請求項１に係る発明によれば、訪問先において、ケース内に収容またはケースに保持されているインスツルメント保持装置を、ケースから必要に応じて分離して、種々の被設置箇所に着脱自在に設置することができる。
すなわち、訪問先での歯科診療に応じた所望の位置にインスツルメント保持装置を設置することが可能な可搬式歯科診療装置を提供することができる。
そして、被設置箇所に設置されたインスツルメント保持装置の係止部にインスツルメントを係止させたり、該係止部からインスツルメントを取り出したりして使用できる。
したがって、例えば、訪問先での歯科診療を受ける患者に対してより近く扱いやすい位置にインスツルメント保持装置を設置してインスツルメントを使用したい場合や、複数のインスツルメント保持装置を患者を挟んで両側にそれぞれ歯科医師や助手の近くの扱いやすい位置に分離し設置することで各インスツルメントを患者の両側から歯科医師や助手がそれぞれ使用したい場合等に柔軟に対応することができる。
また、訪問先の状況に応じて、ケースの側壁、ケースを運搬するカート、および訪問先での歯科診療を受ける患者を載置する載置装置の少なくとも１つを含む種々の被設置箇所に、インスツルメント保持装置を着脱自在に設置することができる。
【００１１】
請求項２に係る発明は、請求項１に記載の可搬式歯科診療装置であって、前記設置部は、磁石を有し、前記開閉可能な前扉の内側に設けられた収容部には、磁性材料から形成される金属板が敷設されていることを特徴とする。
【００１２】
請求項２に係る発明によれば、磁石を利用して、簡易な構成により、インスツルメント保持装置を被設置箇所に着脱自在に設置することができる。
【００１５】
請求項３に係る発明は、請求項１または請求項２に記載の可搬式歯科診療装置であって、前記可搬式歯科診療装置は、複数の前記インスツルメント保持装置を備えており、前記複数の前記インスツルメント保持装置の各々は、他のインスツルメント保持装置と分離可能に接続する接続部を有することを特徴とする。
【００１６】
インスツルメント保持装置を例えば患者を載置するベッドの円柱形状のフレーム等の曲面に設置する場合、インスツルメント保持装置を１個単独で使用するときには、インスツルメントとこれに繋がるホースの重みによってインスツルメント保持装置が左右等に揺れるおそれがあり安定性が低い。これに対し、請求項３に係る発明によれば、例えばベッドの円柱形状のフレーム等の曲面に設置する場合でも、複数のインスツルメント保持装置を接続して使用することにより、複数の設置部を用いてインスツルメント保持装置を設置できる。したがって、インスツルメント保持装置が左右等に揺れることが抑制され、安定性が高まり、しっかりとしたインスツルメント保持装置の設置が可能となる。
【００１７】
請求項４に係る発明は、請求項３に記載の可搬式歯科診療装置であって、前記接続部は、前記インスツルメント保持装置の前記係止部が設けられる面を正面とした場合の側面に設けられていることを特徴とする。
【００１８】
請求項４に係る発明によれば、複数のインスツルメント保持装置の係止部がそれぞれ正面を向いて並ぶため、複数のインスツルメントを複数の係止部にそれぞれ係止させたり取り出したりする操作を容易に行うことができる。
【発明の効果】
【００１９】
本発明によれば、訪問先での診療に応じた所望の位置にインスツルメント保持装置を設置することが可能な可搬式歯科診療装置を提供することができる。
【図面の簡単な説明】
【００２０】
【図１】本発明の一実施形態に係る可搬式歯科診療装置の右手前上方から見た斜視図である。
【図２】図１に示す可搬式歯科診療装置の左手前上方から見た斜視図である。
【図３】図１に示す可搬式歯科診療装置の上壁および側壁を省略して示す斜視図である。
【図４】一方のハンガーの斜視図であり、（ａ）は前方から見た斜視図、（ｂ）は後方から見た斜視図である。
【図５】他方のハンガーの斜視図であり、（ａ）は前方から見た斜視図、（ｂ）は後方から見た斜視図である。
【図６】２つのハンガーを接続する方法を説明するための斜視図である。
【図７】２つのハンガーを接続した状態で被設置箇所に設置する方法を説明するための斜視図である。
【図８】変形例に係るハンガーの斜視図であり、（ａ）は前方から見た斜視図、（ｂ）は後方から見た斜視図である。
【図９】別の変形例に係るハンガーの斜視図であり、（ａ）は前方から見た斜視図、（ｂ）は後方から見た斜視図である。
【発明を実施するための形態】
【００２１】
本発明の実施形態について、適宜図面を参照しながら詳細に説明する。
なお、以下に示す図面において、同一の部材または相当する部材には同一の参照符号を付している。また、部材のサイズおよび形状は、説明の便宜のため、変形または誇張して模式的に表す場合がある。
【００２２】
図１は、本発明の一実施形態に係る可搬式歯科診療装置１００の右手前上方から見た斜視図である。図２は、図１に示す可搬式歯科診療装置１００の左手前上方から見た斜視図である。図３は、図１に示す可搬式歯科診療装置１００の上壁１１および側壁１２，１３を省略して示す斜視図である。ここで、図１〜図３は、前扉１４が開かれた状態を示す。なお、説明を明確にするため、図１に示すように前後左右上下の方向を設定する（以降の図でも同様）。
【００２３】
可搬式歯科診療装置１００は、訪問先に持ち運んで患者に歯科診療を施すための装置である。本発明において「訪問先」の用語は、歯科診療を受ける患者の自宅のほか、老人ホーム等の施設を含む各種往診先にも適用される概念として使用する。
【００２４】
図１および図２に示すように、本発明の一実施形態に係る可搬式歯科診療装置１００は、訪問先での歯科診療に用いる器材を収容する運搬可能なケース１０を備えている。
【００２５】
ケース１０は、ここでは樹脂製のハードケースであるが、これに限定されるものではなく、例えば布や皮等の柔軟材料を用いて形成されたソフトケースであってもよく、あるいは金属製であってもよい。また、ケース１０は、ここでは直方体を呈しているが、これに限定されるものではなく、例えば多面体や球体を呈していてもよい。
【００２６】
図３に示すように、ケース１０内には、インスツルメント２０に電力を供給する駆動源としての電源（図示せず）と、インスツルメント２０の動作の制御を行う制御部４２とが収容されている。また、ケース１０内には、ユーザの操作を受け付ける操作部４３が配置されており、操作部４３は、例えば主電源スイッチ４４等の各種スイッチや、動作制御用のダイヤル等を有している。
【００２７】
インスツルメント２０の用語は、ここでは、ハンドピースを装着するマイクロモータ２１、およびスケーラ２２の総称として使用する。ただし、インスツルメント２０は、２つに限定されるものではなく、単独（１つ）で、あるいは３つ以上で使用されてもよい。例えば、シリンジ等の他の種類のインスツルメント２０が使用されてもよい。
【００２８】
インスツルメント２０は、ここでは、図１に示すケース１０とは別のケース（図示せず）に収容されて、ケース１０とともに運搬されるように構成されている。このように複数のケースを使用する場合、可搬式歯科診療装置１００は、これらのケースを載せて運搬するカート（図示せず）を備えることが好ましい。ただし、インスツルメント２０もケース１０に収容されるように構成されてもよい。
【００２９】
ケースに収容される訪問先での歯科診療に用いる器材としては、インスツルメント２０のほか、コンプレッサ、排唾用バキューム装置、歯科材料、薬品、ポータブルレントゲン装置、照明器具、生体情報測定装置、レーザ装置、情報端末、訪問診療用マニュアル等が挙げられる。
【００３０】
ハンドピースを装着したマイクロモータ２１、およびスケーラ２２は、それぞれホース２３，２４の先端側に設けられた先端側接続部２５，２６に接続して使用することができる。ホース２３，２４は、例えば可撓性を有する樹脂製のホースである。ホース２３，２４の基端側に設けられた基端側接続部２７，２８は、ケース１０内に配置されるケース側接続部１７に接続される。電源（図示せず）からマイクロモータ２１およびスケーラ２２への電力の供給は、ホース２３，２４内を通るケーブル（図示せず）を通じて行われる。図３中の符号４５は、ホース２３，２４をケース１０内に収容する際に、小さく束ねて止めるためのベルトである。
【００３１】
図１および図２に示すように、ケース１０は、上壁１１、側壁１２（図１参照），１３（図２参照）、開閉可能な前扉１４、背壁１５（図３参照）、および底壁を有している。上壁１１の中央には、歯科医師や助手等のユーザが持ち運ぶ際に掴む取っ手１１１が取り付けられている。
【００３２】
前扉１４の内側には、電源（図示せず）に繋がるインスツルメント２０を保持するインスツルメント保持装置としてのハンガー３１，３２をそれぞれ着脱可能に収容する四角皿状の収容部１４１，１４２が設けられている。収容部１４１，１４２の底部には、後記するように磁石を有するハンガー３１，３２がそれぞれ磁着されるように、例えば鋼板等の磁性材料から形成される金属板が敷設されている。
【００３３】
このように、可搬式歯科診療装置１００は、ケース１０と分離可能に、ケース１０内に収容されるハンガー３１，３２を備えている（図２参照）。ただし、ハンガー３１，３２は、ケース１０と分離可能に、ケース１０の例えば側壁１２，１３に、例えば磁着等により保持されていてもよい。
【００３４】
側壁１２，１３には、例えば鋼板等の磁性材料から形成される金属板１８が取り付けられている。したがって、側壁１２，１３は、後記するように磁石を有するハンガー３１，３２が設置される被設置箇所として用いることが可能となっている（図１参照）。金属板１８は、ここでは側壁１２，１３の上部に取り付けられているが、金属板１８の側壁１２，１３への取付け箇所は、任意に変更可能である。また、ケース１０自体が鋼板等の磁性材料から形成されていてもよい。さらに、前扉を横方向に回動して開閉できるように構成して、この前扉の内面を、ハンガー３１，３２が設置される被設置箇所として用いることも可能である。
【００３５】
可搬式歯科診療装置１００は、ここでは、２つのハンガー３１，３２を備えている。ただし、可搬式歯科診療装置１００に備えられるハンガーは、２つに限定されるものではなく、単独（１つ）であってもよく、あるいは３つ以上であってもよい。
【００３６】
図４は、一方のハンガー３１の斜視図であり、（ａ）は正面側から見た斜視図、（ｂ）は背面側から見た斜視図である。図５は、他方のハンガー３２の斜視図であり、（ａ）は正面側から見た斜視図、（ｂ）は背面側から見た斜視図である。なお、ハンガー３１，３２において、係止部３１２，３２２が設けられている面を正面とする。
【００３７】
図４に示すように、一方のハンガー３１は、略直方体を呈するブロック形状の本体部３１１と、本体部３１１の正面側に設けられ、ハンドピースを装着するマイクロモータ２１を係止する係止部３１２と、本体部３１１の背面側に設けられ、該ハンガー３１が設置される被設置箇所に着脱自在に設置する設置部３１３と、を有している。ハンガー３１は、例えば樹脂製である。
【００３８】
係止部３１２は、逆円錐テーパ面形状、すなわち下方に向かって縮径した円錐面形状を呈している。そして、先端側接続部２５に接続されハンドピースを装着したマイクロモータ２１を係止部３１２に対して上から下に差し込んで係止させたり、下から上に持ち上げて引き出したりすることが可能となっている（図１参照）。
【００３９】
設置部３１３は、ここでは磁石であり、本体部３１１の背面側に接着やインサート成形等により固着されている。図４では、設置部３１３は、１枚の板状の磁石であるが、例えば本体部３１１の背面側に複数の磁石が固着されていてもよい。
【００４０】
また、ハンガー３１は、ハンガー３２（図５参照）と分離可能に接続する接続部３１４を有している。接続部３１４はここでは２個設けられているが、単独（１つ）であってもよく、あるいは３つ以上であってもよい。また、接続部３１４は、ハンガー３１の係止部３１２が設けられる面を正面とした場合の右側面３１５に設けられており、断面Ｔ字状の凸形状を呈している。なお、接続部３１４は、接続して固定できる形状であれば断面Ｔ字状の凸形状に限定されるものではなく、例えば断面丸型（○型）の凸形状等であってもよい。
【００４１】
図５に示すように、他方のハンガー３２は、略直方体を呈するブロック形状の本体部３２１と、本体部３２１の正面側に設けられ、スケーラ２２を係止する係止部３２２と、本体部３２１の背面側に設けられ、該ハンガー３２が設置される被設置箇所に着脱自在に設置する設置部３２３と、を有している。ハンガー３２は、例えば樹脂製である。
【００４２】
係止部３２２は、逆円錐テーパ面形状、すなわち下方に向かって縮径した円錐面形状を呈している。そして、先端側接続部２６に接続されたスケーラ２２を係止部３２２に対して上から下に差し込んで係止させたり、下から上に持ち上げて引き出したりすることが可能となっている（図１参照）。
【００４３】
設置部３２３は、ここでは磁石であり、本体部３２１の背面側に接着やインサート成形等により固着されている。図５では、設置部３２３は、１枚の板状の磁石であるが、例えば本体部３２１の背面側に複数の磁石が固着されていてもよい。
【００４４】
また、ハンガー３２は、ハンガー３１（図４参照）と分離可能に接続する接続部３２４を有している。接続部３２４はここでは２個設けられているが、単独（１つ）であってもよく、あるいは３つ以上であってもよい。また、接続部３２４は、ハンガー３２の係止部３２２が設けられる面を正面とした場合の左側面３２５に設けられており、断面Ｔ字状の凹形状を呈している。なお、接続部３２４は、接続して固定できる形状であれば断面Ｔ字状の凹形状に限定されるものではなく、例えば断面丸型（○型）の凹形状等であってもよい。
【００４５】
なお、ハンガー３１とハンガー３２とは、ここでは異なる形状を呈しているが、同一形状であってもよく、ハンドピースを装着するマイクロモータ２１と、スケーラ２２とのいずれに対しても使用可能に構成されていてもよい。
【００４６】
図６は、２つのハンガー３１，３２を接続する方法を説明するための斜視図である。図７は、２つのハンガー３１，３２を接続した状態で被設置箇所に設置する方法を説明するための斜視図である。
【００４７】
図６に示すように、ハンガー３１とハンガー３２とは、相互に接続可能に構成されている。一方のハンガー３１の接続部３１４を他方のハンガー３２の接続部３２４に、図６中の矢印３３の方向に差し込むことにより、接続部３１４と接続部３２４とが相互に係合して、ハンガー３１とハンガー３２とが接続されるように構成されている。また、接続部３１４に設けられた凸部３１６が接続部３２４に設けられた凹部３２６にはまり込むことにより、ハンガー３１とハンガー３２とが互いに位置決め固定されるようになっている。そして、位置決め固定されたハンガー３１とハンガー３２とは、図６中の矢印３３と反対方向に所定の力を付与することにより、分離可能となっている。なお、接続部３１４，３２４は、前記した構成に限定されるものではなく、例えば面ファスナや磁石を利用したものであってもよい。
【００４８】
図７に示すように、接続部３１４，３２４により相互に接続されたハンガー３１とハンガー３２とは、２個の設置部３１３，３２３を用いて、例えばベッドの円柱形状のフレーム３４，３５等の曲面にも安定して設置されることが可能となっている。
【００４９】
次に、前記のように構成された可搬式歯科診療装置１００の作用について説明する。
訪問先での歯科診療を行う場合、歯科医師や助手等のユーザは、まず、訪問先で使用する器材を該訪問先に応じて適切に選択した上で、これらをケース１０に収容した可搬式歯科診療装置１００を準備する。ケース１０は単独で使用されてもよく、別のケースを含む複数のケースが使用されてもよい。
【００５０】
続いて、ユーザは、取っ手１１１を持って可搬式歯科診療装置１００を訪問先に運搬する。あるいは、ユーザは、可搬式歯科診療装置１００をカート（図示せず）に載せて訪問先に運搬する。ユーザは、訪問先到着後、可搬式歯科診療装置１００を、訪問先での歯科診療を受ける患者の近くに置いて使用する。
【００５１】
図２に示すように、まず、ユーザは、可搬式歯科診療装置１００の前扉１４を開く。続いて、ユーザは、ベルト４５を開放してホース２３，２４を伸張させる。また、ユーザは、収容部１４１，１４２にそれぞれ収容されているハンガー３１とハンガー３２とを、収容部１４１，１４２から取り出す。
【００５２】
図１に示すように、続いて、ユーザは、ハンガー３１とハンガー３２とを、被設置箇所としてのケース１０の側壁１２，１３における金属板１８（図１では側壁１２の金属板１８）に、設置部３１３，３２３（図４および図５参照）を用いて着脱自在にそれぞれ設置する。
【００５３】
このとき、ユーザは、ハンガー３１とハンガー３２とを、ケース１０の側壁１２と側壁１３とに分離して設置してもよい。また、ユーザは、ハンガー３１とハンガー３２とを、ケース１０を運搬するカート（図示せず）に設置してもよい。また、ユーザは、ハンガー３１とハンガー３２とを、訪問先での歯科診療を受ける患者を載置する載置装置、例えばベッドのフレームや車いすのアームレスト（いずれも図示せず）に設置してもよい。さらには、前記したように、ハンガー３１とハンガー３２とを接続部３１４，３２４により相互に接続し、２個の設置部３１３，３２３を用いて、例えばベッドの円柱形状のフレーム３４，３５等の曲面に一体として設置してもよい（図７参照）。本実施形態では、磁性材料から形成される金属部材があればこれを被設置箇所として利用して、設置部３１３，３２３を該金属部材に設置することが可能である。
【００５４】
続いて、ユーザは、ハンドピースを装着したマイクロモータ２１、およびスケーラ２２を、ホース２３，２４の先端側接続部２５，２６にそれぞれ接続し、ハンガー３１とハンガー３２とにそれぞれ係止させる（図１参照）。
【００５５】
そして、歯科医師はハンドピースを装着したマイクロモータ２１、あるいはスケーラ２２をハンガー３１，３２から引き出して手に持ち、可搬式歯科診療装置１００を使用した訪問先での歯科診療を行う。
【００５６】
図８は、変形例に係るハンガー３２ａの斜視図であり、（ａ）は前方から見た斜視図、（ｂ）は後方から見た斜視図である。図９は、別の変形例に係るハンガー３２ｂの斜視図であり、（ａ）は前方から見た斜視図、（ｂ）は後方から見た斜視図である。前記したハンガー３１，３２と相違する点を中心に説明し、共通する点についての重複した説明を適宜省略する。
【００５７】
図８に示すように、ハンガー３２ａは、略直方体を呈するブロック形状の本体部３２１ａと、本体部３２１ａの正面側に設けられ、インスツルメント２０（図１参照）を係止する係止部３２２ａと、本体部３２１ａの背面側に設けられ、該ハンガー３２ａが設置される被設置箇所に着脱自在に設置する設置部３２３ａと、を有している。
【００５８】
設置部３２３ａは、ここでは吸盤であり、本体部３２１ａの背面側に接着等により固着されている。この吸盤は、例えばＰＶＣ等の軟質な樹脂から形成されている。図８では、設置部３２３ａは、１つの大きな吸盤であるが、例えば本体部３２１ａの背面側に小さな複数の吸盤が固着されていてもよい。この場合、平坦面があればこれを被設置箇所として利用して、設置部３２３ａを該平坦面に設置することが可能となる。
【００５９】
図９に示すように、ハンガー３２ｂは、略直方体を呈するブロック形状の本体部３２１ｂと、本体部３２１ｂの正面側に設けられ、インスツルメント２０（図１参照）を係止する係止部３２２ｂと、本体部３２１ｂの背面側に設けられ、該ハンガー３２ｂが設置される被設置箇所に着脱自在に設置する設置部３２３ｂと、を有している。
【００６０】
設置部３２３ｂは、ここではフックであり、本体部３２１ｂの背面側に接着や一体成型等により固着されている。このフックは、被設置箇所に引っ掛け可能な湾曲形状を呈している。図９では、設置部３２３ｂは、１つのフックであるが、例えば本体部３２１ｂの背面側の左右に２個のフックが固着されていてもよい。この場合、横棒等の被引っ掛け部材があればこれを被設置箇所として利用して、設置部３２３ｂを該被引っ掛け部材に設置することが可能となる。
【００６１】
前記したように、本実施形態に係る可搬式歯科診療装置１００は、訪問先での歯科診療に用いる器材を収容する運搬可能なケース１０と、ケース１０と分離可能にケース１０内に収容またはケース１０に保持され、駆動源としての電源（図示せず）に繋がるインスツルメント２０を保持するインスツルメント保持装置としてのハンガー３１，３２と、を備えている。そして、ハンガー３１，３２は、インスツルメント２０を係止する係止部３１２，３２２と、ハンガー３１，３２が設置される被設置箇所に着脱自在に設置する設置部３１３，３２３と、を有している。
【００６２】
本実施形態によれば、訪問先において、ケース１０内に収容またはケース１０に保持されているハンガー３１，３２を、ケース１０から必要に応じて分離して、種々の被設置箇所に着脱自在に設置することができる。
すなわち、訪問先での歯科診療に応じた所望の位置にハンガー３１，３２を設置することが可能な可搬式歯科診療装置１００を提供することができる。
そして、被設置箇所に設置されたハンガー３１，３２の係止部３１２，３２２にインスツルメント２０を係止させたり、該係止部３１２，３２２からインスツルメント２０を取り出したりして使用できる。
したがって、例えば、訪問先での歯科診療を受ける患者に対してより近く扱いやすい位置にハンガー３１，３２を設置してインスツルメント２０を使用したい場合や、複数のハンガー３１，３２を患者を挟んで両側にそれぞれ歯科医師や助手の近くの扱いやすい位置に分離し設置することで各インスツルメント２０を患者の両側から歯科医師や助手がそれぞれ使用したい場合等に柔軟に対応することができる。
【００６３】
本実施形態に係る設置部３１３，３２３は磁石である（図４、図５参照）。ただし、変形例に係る設置部として、吸盤（図８参照）や、フック（図９参照）が使用されてもよい。さらに別の変形例に係る設置部として、面ファスナ（図示せず）が使用されてもよい。この面ファスナは、表面に細かいフックとループとをそれぞれ多数形成した一対のシート状の着脱可能な結合手段である。また、設置部は、磁石、フック、吸盤、および面ファスナの少なくとも１つを有するように構成されることができ、これらのうちの複数のものが組み合わされて使用されてもよい。
【００６４】
このような構成によれば、磁石、フック、吸盤、および面ファスナの少なくとも１つを利用して、簡易な構成により、ハンガー３１，３２を被設置箇所に着脱自在に設置することができる。
【００６５】
また、本実施形態では、被設置箇所には、ケース１０の側壁１２，１３、ケース１０を運搬するカート（図示せず）、および訪問先での歯科診療を受ける患者を載置するベッドや車いす等の載置装置（図示せず）の少なくとも１つが含まれる。
【００６６】
このような構成によれば、訪問先の状況に応じて、ケース１０の側壁１２，１３、ケース１０を運搬するカート、および訪問先での歯科診療を受ける患者を載置する載置装置の少なくとも１つを含む種々の被設置箇所に、ハンガー３１，３２を着脱自在に設置することができる。
【００６７】
また、本実施形態では、可搬式歯科診療装置１００は、複数のハンガー３１，３２を備えており、複数のハンガー３１，３２の各々は、他のハンガーと分離可能に接続する接続部３１４，３２４を有している。
【００６８】
ハンガー３１，３２を例えば患者を載置するベッドの円柱形状のフレーム等の曲面に設置する場合、例えばハンガー３１を１個単独で使用するときには、インスツルメント２０とこれに繋がるホース２３の重みによってハンガー３１が左右等に揺れるおそれがあり安定性が低い。これに対し、接続部３１４，３２４を有する本実施形態のハンガー３１，３２によれば、例えばベッドの円柱形状のフレーム３４，３５（図７参照）等の曲面に設置する場合でも、複数のハンガー３１，３２を接続して使用することにより、複数の設置部３１３，３２３を用いてハンガー３１，３２を設置できる。したがって、ハンガー３１，３２が左右等に揺れることが抑制され、安定性が高まり、しっかりとしたハンガー３１，３２の設置が可能となる。
【００６９】
また、本実施形態では、接続部３１４，３２４は、ハンガー３１，３２の係止部３１２，３２２が設けられる面を正面とした場合の側面３１５，３２５に設けられている。
【００７０】
このような構成によれば、複数のハンガー３１，３２の係止部３１２，３２２がそれぞれ正面を向いて並ぶため、複数のインスツルメント２０を複数の係止部３１２，３２２にそれぞれ係止させたり取り出したりする操作を容易に行うことができる。
【００７１】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【００７２】
例えば、前記実施形態では、２つのハンガー３１，３２が接続可能とされる例を説明したが、３つ以上のハンガーが接続可能とされるように構成されてもよい。
【符号の説明】
【００７３】
１０    ケース
１２，１３  側壁（被設置箇所）
２０    インスツルメント
２１    マイクロモータ（インスツルメント）
２２    スケーラ（インスツルメント）
３１，３２，３２ａ，３２ｂ  ハンガー（インスツルメント保持装置）
３４，３５  フレーム（被設置箇所）
１００  可搬式歯科診療装置
３１２，３２２，３２２ａ，３２２ｂ  係止部
３１３，３２３，３２３ａ，３２３ｂ  設置部
３１４，３２４  接続部
３１５  右側面（側面）
３２５  左側面（側面）
【要約】
【課題】訪問先での歯科診療に応じた所望の位置にインスツルメント保持装置を設置することが可能な可搬式歯科診療装置を提供する。
【解決手段】可搬式歯科診療装置１００は、訪問先での歯科診療に用いる器材を収容する運搬可能なケース１０と、ケース１０と分離可能にケース１０内に収容またはケース１０に保持され、駆動源に繋がるインスツルメント２０を保持するインスツルメント保持装置としてのハンガー３１，３２と、を備えている。そして、ハンガー３１，３２は、インスツルメント２０を係止する係止部３１２，３２２と、ハンガー３１，３２が設置される被設置箇所に着脱自在に設置する設置部と、を有している。
【選択図】図１【図１】
0005624650.tif 000002
【図２】
0005624650.tif 000003
【図３】
0005624650.tif 000004
【図４】
0005624650.tif 000005
【図５】
0005624650.tif 000006
【図６】
0005624650.tif 000007
【図７】
0005624650.tif 000008
【図８】
0005624650.tif 000009
【図９】
0005624650.tif 000010